(57)【要約】【課題】一方の床構成枠部の一端側部と、他方の床構成枠部の他端側部とをスライドさせる動作によって、これらの連結を極めて簡単に行うことができ、これらの連結状態を安定して維持することができる組立式スロープユニットの床部を提供すること。【解決手段】組立式スロープユニット１の床部２を構成する複数の床構成枠部３は、一方の床構成枠部３Ａの一端側部３１Ａには、複数の掛止突起３２と弾性変形ストッパー部３３とが設けられており、他方の床構成枠部３Ｂの他端側部３１Ｂには、掛止突起３２が挿入される掛止穴３６が形成されている。スロープユニット１の床部２は、一端側部３１Ａと他端側部３１Ｂとを対面させて、それらの長手方向Ｗに互いにスライドさせることによって、各掛止突起３２と各掛止穴３６との掛止及び弾性変形ストッパー部３３による掛止を行って、一方の床構成枠部３Ａと他方の床構成枠部３Ｂとの連結を行うよう構成されている。【選択図】図９
2013238066.tif 000002
【特許請求の範囲】
【請求項１】
組立式スロープユニットに用い、通行用のスロープ床面を形成する床部であって、
該床部は、通行方向に隣接して互いに連結する複数の枠形状の床構成枠部と、該床構成枠部の上に配置する床板とによって構成されており、
上記複数の床構成枠部のうちの少なくとも２つの床構成枠部においては、一方の床構成枠部の一端側に位置する一端側部と、他方の床構成枠部の他端側に位置する他端側部とが連結されるよう構成されており、
上記一端側部には、その長手方向の複数箇所において、突起部の先端側に鍔部を有する掛止突起が設けられており、
上記他端側部には、その長手方向の複数箇所において、上記掛止突起が挿入されて、該掛止突起を掛止する掛止穴が形成されており、
該掛止穴は、上記鍔部を通過させる大きさの通過穴部と、該通過穴部から上記他端側部の長手方向に向けて連続して形成され、上記突起部を挿入させて上記鍔部を掛止するための掛止長穴部とを有しており、
上記一端側部と上記他端側部とのいずれか一方には、上記各掛止突起が上記各通過穴部を通過するとき及び上記各掛止突起が上記各掛止長穴部の先端側へスライドするときに弾性変形し、上記一方の床構成枠部と上記他方の床構成枠部とが上記床部を形成する定位置で合わさったときに弾性変形が復帰するとともに、上記一端側部と上記他端側部との他方を掛止して、上記各掛止突起が上記各掛止長穴部の基端側へスライドすることを防止する弾性変形ストッパー部が設けられており、
上記一端側部と上記他端側部とを対面させて、それらの長手方向に互いにスライドさせることによって、上記各掛止突起と上記各掛止穴との掛止及び上記弾性変形ストッパー部による掛止を行って、上記一方の床構成枠部と上記他方の床構成枠部との連結を行うよう構成されていることを特徴とする組立式スロープユニットの床部。
【請求項２】
請求項１に記載の組立式スロープユニットの床部において、上記他端側部には、断面Ｌ型の受板部が引出可能に設けられており、該受板部は、上記床構成枠部の下面に対面して取り付けられた対面部と、該対面部に対して折れ曲がった折曲部とを有しており、
上記複数の掛止穴は、上記対面部に形成されており、
上記弾性変形ストッパー部及び上記複数の掛止突起は、上記一端側部の下面に設けられており、
上記受板部を引き出し、該受板部内に上記一端側部を配置する際に上記各掛止穴における上記通過穴部に上記各掛止突起を配置し、上記一端側部と上記他端側部とを上記長手方向に互いにスライドさせることができるよう構成されていることを特徴とする組立式スロープユニットの床部。
【請求項３】
請求項１又は２に記載の組立式スロープユニットの床部において、上記弾性変形ストッパー部は、板ばねを用いて構成されており、
該板ばねの基端部は、上記複数箇所の掛止突起におけるいずれかを利用して固定されており、上記板ばねの先端部には、操作部が設けられており、
上記受板部における上記対面部の端部に上記操作部が掛止されることによって、上記弾性変形ストッパー部による掛止が行われるよう構成されていることを特徴とする組立式スロープユニットの床部。
【請求項４】
請求項１〜３のいずれか一項に記載の組立式スロープユニットの床部において、上記一方の床構成枠部と上記他方の床構成枠部とのいずれか一方は、一方側蝶番部分と他方側蝶番部分とを、回動中心軸によって回動可能に連結して構成された蝶番部であり、
上記一方側蝶番部分は、上記スロープ床面の一部を形成する一方側表面板部を有し、該一方側表面板部は、一方側凸部と、該一方側凸部よりも上記通行方向に短くなった一方側凹部と、が交互に形成された凹凸形状を有しており、
上記他方側蝶番部分は、上記スロープ床面の一部を形成する他方側表面板部を有し、該他方側表面板部は、上記一方側凹部に配置される他方側凸部と、該他方側凸部よりも上記通行方向に短く上記一方側凸部が配置される他方側凹部と、が交互に形成された凹凸形状を有しており、
上記一方側凸部の先端側部分及び上記他方側凸部の先端側部分は、いずれも上記回動中心軸の回りに屈曲して、上記他方側凹部又は上記一方側凹部の下方に収容されていることを特徴とする組立式スロープユニットの床部。
【発明の詳細な説明】
【技術分野】
【０００１】
本発明は、既設の建築構造物等に設置して、車椅子等の通行を可能にする組立式スロープユニットに関する。
【背景技術】
【０００２】
介護用住宅、施設等においては、介護が必要な老人、障害者等が車椅子等で出入りすることができるように、スロープを設置することが行われている。
例えば、特許文献１の可搬式スロープユニットは、建物における窓、小縁等の窓部の屋外側に設置し、窓部と屋外との間の出入を可能にしている。この可搬式スロープユニットは、床部と、床部を支持する複数の脚部とを有しており、複数の脚部の長さを調整して、床部の高さ及び傾斜角度を調整している。また、この可搬式スロープユニットは、複数に分割した床部を連結して組み立てることができる。
【先行技術文献】
【特許文献】
【０００３】
【特許文献１】特開２００５−３２０８２６号公報
【発明の概要】
【発明が解決しようとする課題】
【０００４】
しかしながら、上記特許文献１の可搬式スロープユニットにおいては、床部同士は、ボルトの締付等を行って互いに連結している。そのため、スロープユニットの組立に時間がかかるといった問題がある。
【０００５】
本発明は、かかる背景に鑑みてなされたもので、一方の床構成枠部の一端側部と、他方の床構成枠部の他端側部とをスライドさせる動作によって、これらの連結を極めて簡単に行うことができ、これらの連結状態を安定して維持することができる組立式スロープユニットの床部を提供しようとして得られたものである。
【課題を解決するための手段】
【０００６】
本発明は、組立式スロープユニットに用い、通行用のスロープ床面を形成する床部であって、
該床部は、通行方向に隣接して互いに連結する複数の枠形状の床構成枠部と、該床構成枠部の上に配置する床板とによって構成されており、
上記複数の床構成枠部のうちの少なくとも２つの床構成枠部においては、一方の床構成枠部の一端側に位置する一端側部と、他方の床構成枠部の他端側に位置する他端側部とが連結されるよう構成されており、
上記一端側部には、その長手方向の複数箇所において、突起部の先端側に鍔部を有する掛止突起が設けられており、
上記他端側部には、その長手方向の複数箇所において、上記掛止突起が挿入されて、該掛止突起を掛止する掛止穴が形成されており、
該掛止穴は、上記鍔部を通過させる大きさの通過穴部と、該通過穴部から上記他端側部の長手方向に向けて連続して形成され、上記突起部を挿入させて上記鍔部を掛止するための掛止長穴部とを有しており、
上記一端側部と上記他端側部とのいずれか一方には、上記各掛止突起が上記各通過穴部を通過するとき及び上記各掛止突起が上記各掛止長穴部の先端側へスライドするときに弾性変形し、上記一方の床構成枠部と上記他方の床構成枠部とが上記床部を形成する定位置で合わさったときに弾性変形が復帰するとともに、上記一端側部と上記他端側部との他方を掛止して、上記各掛止突起が上記各掛止長穴部の基端側へスライドすることを防止する弾性変形ストッパー部が設けられており、
上記一端側部と上記他端側部とを対面させて、それらの長手方向に互いにスライドさせることによって、上記各掛止突起と上記各掛止穴との掛止及び上記弾性変形ストッパー部による掛止を行って、上記一方の床構成枠部と上記他方の床構成枠部との連結を行うよう構成されていることを特徴とする組立式スロープユニットの床部にある（請求項１）。
【発明の効果】
【０００７】
上記組立式スロープユニットの床部は、２つの床構成枠部における一方の床構成枠部の一端側部と、他方の床構成枠部の他端側部とに工夫を行い、これらの連結を極めて簡単に行うことができるものである。
具体的には、一端側部には、その長手方向の複数箇所に掛止突起が設けられており、他端側部には、その長手方向の複数箇所に通過穴部及び掛止長穴部からなる掛止穴が形成されている。また、一端側部と他端側部とのいずれか一方には、弾性変形ストッパー部が設けられている。
【０００８】
一方の床構成枠部の一端側部と、他方の床構成枠部の他端側部との連結を行う際には、作業者は、一端側部と他端側部とを対面させる。このとき、一端側部における複数箇所の掛止突起を、他端側部における複数箇所の掛止穴の通過穴部に挿入する。
そして、作業者は、一方の床構成枠部の一端側部と他方の床構成枠部の他端側部とを、それらの長手方向に互いにスライドさせ、各掛止突起を各掛止穴の掛止長穴部の先端側へスライドさせる。
【０００９】
各掛止突起が各通過穴部を通過するとき及び各掛止突起が各掛止長穴部の先端側へスライドするときには、一端側部によって押されて、弾性変形ストッパー部が弾性変形する。そして、弾性変形ストッパー部は、一方の床構成枠部と他方の床構成枠部とが、床部を形成する定位置で合わさったときに弾性変形が復帰する。これにより、弾性変形ストッパー部によって、一端側部と他端側部との他方を掛止して、各掛止突起が各掛止長穴部の基端側（通過穴部の側）へスライドすることを防止することができる。
それ故、上記組立式スロープユニットの床部によれば、一方の床構成枠部の一端側部と、他方の床構成枠部の他端側部とをスライドさせる動作によって、これらの連結を極めて簡単に行うことができ、これらの連結状態を安定して維持することができる。
【図面の簡単な説明】
【００１０】
【図１】実施例にかかる、スロープユニットを示す平面図。
【図２】実施例にかかる、スロープユニットを図１のＡ矢視方向から見た状態で示す側面図。
【図３】実施例にかかる、スロープユニットを図１のＢ矢視方向から見た状態で示す側面図。
【図４】実施例にかかる、互いに連結する一対の床構成枠部を示す平面図。
【図５】実施例にかかる、受板部を引き出す前の他方の床構成枠部の他端側部を示す下面図。
【図６】実施例にかかる、一方の床構成枠部の一端側部と他方の床構成枠部の他端側部とを対向させた状態を示す下面図。
【図７】実施例にかかる、一方の床構成枠部の一端側部と他方の床構成枠部の他端側部とを対向させた状態を示す断面図。
【図８】実施例にかかる、一方の床構成枠部の一端側部における弾性変形ストッパー部を示す断面図。
【図９】実施例にかかる、一方の床構成枠部の一端側部における弾性変形ストッパー部を、通行方向から見た状態で示す断面図。
【図１０】実施例にかかる、一方の床構成枠部の一端側部を、他方の床構成枠部の他端側部における受板部に配置した状態を示す下面図。
【図１１】実施例にかかる、一方の床構成枠部の一端側部を、他方の床構成枠部の他端側部における受板部に配置した状態を示す断面図。
【図１２】実施例にかかる、一方の床構成枠部の一端側部と他方の床構成枠部の他端側部とを連結した状態を示す下面図。
【図１３】実施例にかかる、一方の床構成枠部の一端側部と他方の床構成枠部の他端側部とを連結した状態を示す断面図。
【図１４】実施例にかかる、蝶番部を示す平面図。
【図１５】実施例にかかる、一対の蝶番部分が平行な状態にある蝶番部を示す断面図。
【図１６】実施例にかかる、一対の蝶番部分が互いに傾斜した状態にある蝶番部を示す断面図。
【図１７】実施例にかかる、一方側部分と他方側部分とが平行な状態の屈曲用床構成枠部を示す平面図。
【図１８】実施例にかかる、一方側部分と他方側部分とが所定の角度で屈曲した状態の屈曲用床構成枠部を示す平面図。
【発明を実施するための形態】
【００１１】
上述した組立式スロープユニットの床部における好ましい実施の形態につき説明する。
上記組立式スロープユニットの床部においては、上記他端側部には、断面Ｌ型の受板部が引出可能に設けられており、該受板部は、上記床構成枠部の下面に対面して取り付けられた対面部と、該対面部に対して折れ曲がった折曲部とを有しており、上記複数の掛止穴は、上記対面部に形成されており、上記弾性変形ストッパー部及び上記複数の掛止突起は、上記一端側部の下面に設けられており、上記受板部を引き出し、該受板部内に上記一端側部を配置する際に上記各掛止穴における上記通過穴部に上記各掛止突起を配置し、上記一端側部と上記他端側部とを上記長手方向に互いにスライドさせることができるよう構成されていてもよい（請求項２）。
【００１２】
この場合には、他方の床構成枠部の搬送等を行う際には、対面部及び折曲部が他端側部に対面するように、受板部を他端側部に収容することができる。これにより、他方の床構成枠部の搬送時等における取扱いを容易にすることができる。
また、一方の床構成枠部の一端側部と他方の床構成枠部の他端側部との連結を行う際には、他端側部から受板部を引き出し、この受板部内に一端側部を配置する。このとき、他端側部の受板部の対面部における各通過穴部に、一端側部における各掛止突起を配置する。そして、一端側部と他端側部とをそれらの長手方向に互いにスライドさせることができる。これにより、一方の床構成枠部の一端側部と他方の床構成枠部の他端側部との連結を容易に行うことができる。
【００１３】
また、上記弾性変形ストッパー部は、板ばねを用いて構成されており、該板ばねの基端部は、上記複数箇所の掛止突起におけるいずれかを利用して固定されており、上記板ばねの先端部には、操作部が設けられており、上記受板部における上記対面部の端部に上記操作部が掛止されることによって、上記弾性変形ストッパー部による掛止が行われるよう構成されていてもよい（請求項３）。
この場合には、板ばねを用いた弾性変形ストッパー部により、簡単な構造で弾性変形及び弾性変形の復帰を容易に行うことができる。
【００１４】
また、上記一方の床構成枠部と上記他方の床構成枠部とのいずれか一方は、一方側蝶番部分と他方側蝶番部分とを、回動中心軸によって回動可能に連結して構成された蝶番部であり、上記一方側蝶番部分は、上記スロープ床面の一部を形成する一方側表面板部を有し、該一方側表面板部は、一方側凸部と、該一方側凸部よりも上記通行方向に短くなった一方側凹部と、が交互に形成された凹凸形状を有しており、上記他方側蝶番部分は、上記スロープ床面の一部を形成する他方側表面板部を有し、該他方側表面板部は、上記一方側凹部に配置される他方側凸部と、該他方側凸部よりも上記通行方向に短く上記一方側凸部が配置される他方側凹部と、が交互に形成された凹凸形状を有しており、上記一方側凸部の先端側部分及び上記他方側凸部の先端側部分は、いずれも上記回動中心軸の回りに屈曲して、上記他方側凹部又は上記一方側凹部の下方に収容されていてもよい（請求項４）。
【００１５】
この場合には、スロープ板部により、複数の床構成枠部によって構成した床部に対する車椅子の上り下りを円滑に行うことができる。この際、一方側蝶番部分の一方側表面板部における一方側凸部及び一方側凹部と、他方側蝶番部分の他方側表面板部における他方側凸部及び他方側凹部との配置状態により、車椅子が通行するときの隙間が、蝶番部に極力生じないようにすることができる。
一方側凸部の先端側部分及び他方側凸部の先端側部分は、いずれも回動中心軸の回りに屈曲して、他方側凹部又は一方側凹部の下方に収容されている。これにより、一方側蝶番部分と他方側蝶番部分とを回動中心軸の回りに回動させて、一方側蝶番部分に対して他方側蝶番部分を山状に屈曲させたときに、各蝶番部分の表面板部の表面にできるだけ凹凸が生じないようにするとともに、蝶番部に隙間が極力生じないようにすることができる。
【実施例】
【００１６】
以下に、組立式スロープユニットの床部の実施例につき、図面を参照して説明する。
図１〜図３に示すごとく、組立式スロープユニット１（以下、単にスロープユニット１という。）の床部２は、スロープユニット１に用い、通行用のスロープ床面２１を形成するものである。
図１３に示すごとく、床部２は、通行方向（スロープ形成方向）Ｌに隣接して互いに連結する複数の枠形状の床構成枠部３と、床構成枠部３の上に配置する床板２２とによって構成されている。複数の床構成枠部３のうちの少なくとも２つの床構成枠部３においては、一方の床構成枠部３Ａの一端側に位置する一端側部３１Ａと、他方の床構成枠部３Ｂの他端側に位置する他端側部３１Ｂとが連結されるよう構成されている。
【００１７】
図４、図５、図７に示すごとく、一端側部３１Ａには、その長手方向（通行方向Ｌに直交する幅方向）Ｗの複数箇所において、突起部３２１の先端側に鍔部３２２を有する掛止突起３２が設けられており、他端側部３１Ｂには、その長手方向Ｗの複数箇所において、掛止突起３２が挿入されて、掛止突起３２を掛止する掛止穴３６が形成されている。掛止穴３６は、鍔部３２２を通過させる大きさの通過穴部３６１と、通過穴部３６１から他端側部３１Ｂの長手方向Ｗに向けて連続して形成され、突起部３２１を挿入させて鍔部３２２を掛止するための掛止長穴部３６２とを有している。
【００１８】
図６、図９に示すごとく、一端側部３１Ａには、弾性変形ストッパー部３３が設けられている。弾性変形ストッパー部３３は、各掛止突起３２が各通過穴部３６１を通過するとき及び各掛止突起３２が各掛止長穴部３６２の先端側へスライドするときに弾性変形し、一方の床構成枠部３Ａと他方の床構成枠部３Ｂとが床部２を形成する定位置３０１で合わさったときに弾性変形が復帰するとともに、一端側部３１Ａと他端側部３１Ｂとの他方を掛止して、各掛止突起３２が各掛止長穴部３６２の基端側（通過穴部３６１の側）へスライドすることを防止する。
図１０、図１２に示すごとく、スロープユニット１の床部２は、一端側部３１Ａと他端側部３１Ｂとを対面させて、それらの長手方向Ｗに互いにスライドさせることによって、各掛止突起３２と各掛止穴３６との掛止及び弾性変形ストッパー部３３による掛止を行って、一方の床構成枠部３Ａと他方の床構成枠部３Ｂとの連結を行うよう構成されている。
【００１９】
以下に、本例のスロープユニット１の床部２につき、図１〜図１８を参照して詳説する。
図１〜図３に示すごとく、本例のスロープユニット１は、既に建築された既存住宅又は既存施設における掃出窓８（又は小縁等）の高台部８１を利用して、既存住宅又は既存施設の室内（屋内）と屋外との間を、老人、障害者等の体力衰弱者（利用者）が出入りできるようにするものであり、種々の既存住宅又は既存施設に対して、後から増設することができるものである。そして、本例のスロープユニット１は、可搬組立式のスロープユニットであり、スロープユニットの増設が必要な既存住宅又は既存施設まで各構成部材を分解した状態で運搬し、既存住宅又は既存施設の庭等において各構成部材を組み立てることにより、建築の専門業者でなくても、容易に組立ができるよう工夫がなされたものである。
スロープユニット１は、組立前の状態において、床構成枠部３、床板２２、支柱４、手摺支柱４４、手摺部４５等の各構成部材に分解されており、この分解状態でトラック等の運搬車によって運搬が可能である。
【００２０】
ここで、図１は、スロープユニット１の平面図である。図２は、既存住宅又は既存施設における高台部８１に連結して設置したスロープユニット１を、図１のＡ矢視方向から見た状態で示す図である。図３は、スロープユニット１を、図１のＢ矢視方向から見た状態で示す図である。図４は、互いに連結する一対の床構成枠部３Ａ，３Ｂを示す平面図である。
また、図１〜図３に示すごとく、本例のスロープユニット１においては、床構成枠部３により形成した水平な床面２１０を高台部８１に連結し、水平な床面２１０に対して傾斜するスロープ床面２１を結合した。
【００２１】
スロープユニット１においては、複数の床構成枠部３は、踊り場としての水平なスロープ床面２１を形成する水平枠部３０Ａと、水平枠部３０Ａから下方に向けて傾斜するスロープ床面２１を形成する複数の傾斜枠部３０Ｂとからなる。
複数の掛止突起３２を設けた一端側部３１Ａを有する床構成枠部３と、複数の掛止穴３６を設けた他端側部３１Ｂを有する床構成枠部３とは、傾斜枠部３０Ｂとして形成されている。
床板２２は、複数の床構成枠部３の連結を行った後に、各床構成枠部３の上に別々に配置することができ、複数の床構成枠部３の上にまとめて配置することもできる。また、床板２２は、床構成枠部３同士を連結する前に、予め床構成枠部３に取り付けておくこともできる。床板２２の床構成枠部３への取付は、ビス等の締付によって行うことができる。
【００２２】
図１、図３に示すごとく、本例の傾斜枠部３０Ｂは、３つの床構成枠部３を連結して構成されている。
最上流側の傾斜枠部３０Ｃの下流側端部としての他端側部３１Ｂには、複数の掛止穴３６が形成された受板部３５が設けられている。中間位置の傾斜枠部３０Ｄの上流側端部としての一端側部３１Ａには、複数の掛止突起３２が設けられており、中間位置の傾斜枠部３０Ｄの下端側端部としての他端側部３１Ｂには、複数の掛止穴３６が形成された受板部３５が設けられている。最下流側の傾斜枠部３０Ｅの上流側端部としての一端側部３１Ａには、複数の掛止突起３２が設けられている。
図４に示すごとく、一方の床構成枠部３Ａと他方の床構成枠部３Ｂとには、これらを掛止突起３２の鍔部３２２が掛止穴３６の通過穴部３６１に入る位置で合わせたときに、互いに向き合う目印Ｍが設けられている。
【００２３】
図２、図３に示すごとく、各床構成枠部３の下方には、各床構成枠部３を支持する支柱４が立設される。支柱４は、ネジ部を回すことによって伸縮するアジャスタ部４１によって、高さを調整可能である。支柱４の上端部には、床構成枠部３の一部の荷重を受けてその傾斜角度を調整可能にする荷重受部４２が形成されている。荷重受部４２は、通行方向Ｌに対して傾斜する山型形状を有しており、山型形状の上に載置する床構成枠部３の傾斜角度を調整するよう構成されている。床構成枠部３は、荷重受部４２の頂点部の上に載置されるとともに、荷重受部４２の頂点部の下方に設けた回動軸４３の回りに回動可能に配置される。そして、床構成枠部３の傾斜角度を決定したときには、荷重受部４２の頂点部の両側に設けたネジを床構成枠部３に締め付けることによって、床構成枠部３を所定の傾斜角度で維持する。
また、支柱４の上方には、手摺部４５を取り付ける手摺支柱４４が立設されている。
複数に連結した床構成枠部３の上には、床板２２が配置されて、スロープ床面２１を有する床部２が形成される。
【００２４】
ここで、図５は、受板部３５を引き出す前の他方の床構成枠部３Ｂの他端側部３１Ｂを示す下面図である。図６は、一方の床構成枠部３Ａの一端側部３１Ａと他方の床構成枠部３Ｂの他端側部３１Ｂとを対向させた状態を示す下面図である。図７は、一方の床構成枠部３Ａの一端側部３１Ａと他方の床構成枠部３Ｂの他端側部３１Ｂとを対向させた状態を示す断面図である。
図８は、一方の床構成枠部３Ａの一端側部３１Ａにおける弾性変形ストッパー部３３を示す断面図である。図９は、一方の床構成枠部３Ａの一端側部３１Ａにおける弾性変形ストッパー部３３を、通行方向Ｌから見た状態で示す断面図である。
【００２５】
図１０は、一方の床構成枠部３Ａの一端側部３１Ａを、他方の床構成枠部３Ｂの他端側部３１Ｂにおける受板部３５に配置した状態を示す下面図である。図１１は、一方の床構成枠部３Ａの一端側部３１Ａを、他方の床構成枠部３Ｂの他端側部３１Ｂにおける受板部３５に配置した状態を示す断面図である。
図１２は、一方の床構成枠部３Ａの一端側部３１Ａと他方の床構成枠部３Ｂの他端側部３１Ｂとを連結した状態を示す下面図である。図１３は、一方の床構成枠部３Ａの一端側部３１Ａと他方の床構成枠部３Ｂの他端側部３１Ｂとを連結した状態を示す断面図である。
【００２６】
図５〜図７に示すごとく、他端側部３１Ｂには、断面Ｌ型の受板部３５が引出可能に設けられている。受板部３５は、床構成枠部３の下面に対面して取り付けられた対面部３５１と、対面部３５１に対して折れ曲がった折曲部３５２とを有している。複数の掛止穴３６は、対面部３５１に形成されており、弾性変形ストッパー部３３及び複数の掛止突起３２は、一端側部３１Ａの下面に設けられている。
一方の床構成枠部３Ａと他方の床構成枠部３Ｂとの連結を行う際には、図６、図７に示すごとく、他端側部３１Ｂにおける受板部３５を引き出し、図１０、図１１に示すごとく、受板部３５内に一端側部３１Ａを配置するときに各掛止穴３６における通過穴部３６１に各掛止突起３２を配置し、図１２、図１３に示すごとく、一端側部３１Ａと他端側部３１Ｂとをそれらの長手方向Ｗに互いにスライドさせる。
【００２７】
図５、図６に示すごとく、受板部３５は、他端側部３１Ｂの長手方向（幅方向）Ｗの複数箇所に設けた鍔付ガイドピン３５３と、鍔付ガイドピン３５３をスライドさせる長穴３５４とによって、他端側部３１Ｂに対して引出可能に取り付けられている。受板部３５における各掛止穴３６は、通過穴部３６１から幅方向Ｗの一方側へ掛止長穴部３６２を連続形成して構成されている。
受板部３５における対面部３５１の幅方向Ｗの一方の端部３５５は、弾性変形ストッパー部３３の操作部３３２に掛止されるように、床構成枠部３の幅方向Ｗの端部よりも幅方向Ｗの内側に位置している。
他方の床構成枠部３Ｂの搬送等を行う際には、対面部３５１及び折曲部３５２が他端側部３１Ｂに対面するように、受板部３５を他端側部３１Ｂに収容しておくことにより、他方の床構成枠部３Ｂの搬送時等における取扱いを容易にすることができる。
【００２８】
図４に示すごとく、本例の掛止突起３２及び掛止穴３６は、それぞれ一端側部３１Ａ又は他端側部３１Ｂにおける長手方向（幅方向）Ｗの両側位置の２箇所に設けられている。
図９、図１２に示すごとく、弾性変形ストッパー部３３は、板ばね３３１を用いて構成されており、板ばね３３１の基端部は、一方の掛止突起３２から延長された部分を利用して固定されており、板ばね３３１の先端部には、操作部３３２が設けられている。弾性変形ストッパー部３３は、板ばね３３１の弾性変形が復帰した状態で、受板部３５における対面部３５１の幅方向Ｗの端部３５５に操作部３３２が掛止されることによって、一方の床構成枠部３Ａが他方の床構成枠部３Ｂから不意にスライドしないように保持する。
【００２９】
次に、一方の床構成枠部３Ａと他方の床構成枠部３Ｂとを連結する方法、及びスロープユニット１の作用効果につき説明する。
まず、作業者は、図６、図７に示すごとく、他方の床構成枠部３Ｂの他端側部３１Ｂから受板部３５を引き出し、図１０、図１１に示すごとく、受板部３５内に一方の床構成枠部３Ａの一端側部３１Ａを配置する。このとき、他端側部３１Ｂの受板部３５の対面部３５１における各通過穴部３６１に、一端側部３１Ａにおける各掛止突起３２を挿入配置する。
そして、作業者は、図１２、図１３に示すごとく、一方の床構成枠部３Ａの一端側部３１Ａと他方の床構成枠部３Ｂの他端側部３１Ｂとを、それらの長手方向（幅方向）Ｗに互いにスライドさせ、各掛止突起３２を各掛止穴３６の掛止長穴部３６２の先端側へスライドさせる。
【００３０】
各掛止突起３２が各通過穴部３６１を通過するとき及び各掛止突起３２が各掛止長穴部３６２の先端側へスライドするときには、一端側部３１Ａによって押されて、弾性変形ストッパー部３３が板ばね３３１によって弾性変形する（図９参照）。そして、図９、図１２に示すごとく、弾性変形ストッパー部３３は、一方の床構成枠部３Ａと他方の床構成枠部３Ｂとが、床部２を形成する定位置３０１で合わさったときに弾性変形が復帰する。これにより、弾性変形ストッパー部３３の操作部３３２が、他端側部３１Ｂにおける受板部３５の幅方向Ｗの端部３５５に掛止される。そして、一方の床構成枠部３Ａの一端側部３１Ａにおける各掛止突起３２が、他方の床構成枠部３Ｂの他端側部３１Ｂにおける各掛止長穴部３６２の基端側（通過穴部３６１の側）へスライドすることを防止することができる。これにより、一対の床構成枠部３Ａ，３Ｂの連結状態を維持することができる。また、床部２の構造によれば、ビス等の固定具を用いずに、床構成枠部３同士を連結することができる。
【００３１】
それ故、スロープユニット１の床部２によれば、一方の床構成枠部３Ａの一端側部３１Ａと、他方の床構成枠部３Ｂの他端側部３１Ｂとをスライドさせる動作によって、これらの連結を極めて簡単に行うことができ、これらの連結状態を安定して維持することができる。
【００３２】
また、作業者は、一対の床構成枠部３Ａ，３Ｂの連結状態を解除するときには、弾性変形ストッパー部３３の操作部３３２を押して、弾性変形ストッパー部３３を弾性変形させる。これにより、他端側部３１Ｂにおける受板部３５の幅方向Ｗの端部３５５に対する操作部３３２の掛止状態を解除し、一方の床構成枠部３Ａの一端側部３１Ａにおける各掛止突起３２を、他方の床構成枠部３Ｂの他端側部３１Ｂにおける各掛止長穴部３６２から各通過穴部３６１までスライドさせ、一対の床構成枠部３Ａ，３Ｂの連結状態を解除することができる。
【００３３】
図１、図３に示すごとく、本例の床部２においては、スロープ床面２１の傾斜角度が変化する部分には、隙間が生じにくい蝶番部５Ａ，５Ｂを設けている。具体的には、蝶番部５Ａは、水平枠部３０Ａと、水平枠部３０Ａから下方に向けて傾斜する最上流側の傾斜枠部３０Ｃ（最上流側床構成枠部３）との間に設けられている。この蝶番部５Ａは、水平枠部３０Ａに取り付けた一方側蝶番部分５１と、最上流側の傾斜枠部３０Ｃに取り付けた他方側蝶番部分５２とを、回動中心軸５３によって回動可能に連結して構成されている。
【００３４】
また、蝶番部５Ｂは、最下流側の傾斜枠部３０Ｅ（最下流側床構成枠部３）と、最下流側の傾斜枠部３０Ｅのスロープ床面２１とスロープ設置面Ｘとの段差を解消するためのスロープ板部６との間に設けられている。この蝶番部５Ｂは、最下流側の傾斜枠部３０Ｂの下端側端部に取り付けた一方側蝶番部分５１と、スロープ板部６に取り付けた他方側蝶番部分５２とを、回動中心軸５３によって回動可能に連結して構成されている。
【００３５】
ここで、図１４は、蝶番部５Ａを示す平面図である。図１５は、一対の蝶番部分５１，５２が平行な状態にある蝶番部５Ａを示す断面図である。図１６は、一対の蝶番部分５１，５２が互いに傾斜した状態にある蝶番部５Ａを示す断面図である。蝶番部５Ｂについては図示を省略するが、蝶番部５Ａと同様である。
図１４に示すごとく、一方側蝶番部分５１と他方側蝶番部分５２とには、回動中心軸５３を軸支する軸受部５１０，５２０がそれぞれ形成されている。
【００３６】
各蝶番部５Ａ，５Ｂにおいて、一方側蝶番部分５１は、スロープ床面２１の一部を形成する一方側表面板部５１１を有し、一方側表面板部５１１は、一方側凸部５１２と、一方側凸部５１２よりも通行方向Ｌに短くなった一方側凹部５１３と、が交互に形成された凹凸形状を有している。各蝶番部５Ａ，５Ｂにおいて、他方側蝶番部分５２は、スロープ床面２１の一部を形成する他方側表面板部５２１を有し、他方側表面板部５２１は、一方側凹部５１３に配置される他方側凸部５２２と、他方側凸部５２２よりも通行方向Ｌに短く一方側凸部５１２が配置される他方側凹部５２３と、が交互に形成された凹凸形状を有している。
【００３７】
また、図１５に示すごとく、各蝶番部５Ａ，５Ｂにおいて、一方側凸部５１２の先端側部分及び他方側凸部５２２の先端側部分は、いずれも回動中心軸５３の回りに屈曲して、他方側凹部５２３又は一方側凹部５１３の下方に収容されている。本例の一方側凸部５１２の先端側部分及び他方側凸部５２２の先端側部分は、回動中心軸５３の回りにその周方向に沿って曲面形状に形成されている。
これにより、図１６に示すごとく、一方側蝶番部分５１と他方側蝶番部分５２とを回動中心軸５３の回りに回動させて、一方側蝶番部分５１に対して他方側蝶番部分５２を山状に屈曲させたときに、各蝶番部分５Ａ，５Ｂの各表面板部５１１，５２１の表面にできるだけ凹凸が生じないようにするとともに、蝶番部５Ａ，５Ｂに隙間が極力生じないようにすることができる。
【００３８】
一方側蝶番部分５１の一方側表面板部５１１における一方側凸部５１２及び一方側凹部５１３と、他方側蝶番部分５２の他方側表面板部５２１における他方側凸部５２２及び他方側凹部５２３との配置状態により、車椅子が通行するときの隙間が、各蝶番部５Ａ，５Ｂに極力生じないようにすることができる。
また、スロープ板部６により、複数の床構成枠部３によって構成した床部２に対する車椅子の上り下りを円滑に行うことができる。
【００３９】
また、図１５〜図１７に示すごとく、蝶番部５Ａ，５Ｂは、上記一方の床構成枠部３Ａと他方の床構成枠部３Ｂとの連結を行った構成と同様の構成によって、水平枠部３０Ａと最上流側の傾斜枠部３０Ｃとの間、又は最下流側の傾斜枠部３０Ｅとスロープ板部６との間に取り付けられる。
床構成枠部３０Ａの端部３１Ｃには、掛止突起３２及び弾性変形ストッパー部３３が設けられており、蝶番部５Ａの一方側蝶番部分５１には、掛止穴３６が設けられている。なお、この場合の掛止突起３２及び弾性変形ストッパー部３３と掛止穴３６とは、床構成枠部３０Ａの端部３１Ｃの側部と一方側蝶番部分５１の側部とに設けられている。また、蝶番部５Ａの他方側蝶番部分５２には、掛止穴３６が形成された受板部３５Ａが固定されている。この受板部３５Ａには、床構成枠部３０Ｃの一端側部３１Ａが配置される。そして、受板部３５Ａの掛止穴３６に一端側部３１Ａの掛止突起３２が挿入配置される。
【００４０】
また、図１７、図１８に示すごとく、複数の床構成枠部３のうちのいずれかは、床部２の通行方向Ｌを任意の角度で屈曲させるための屈曲用床構成枠部７とすることができる。
ここで、図１７は、一方側部分７１と他方側部分７２とが平行な状態の屈曲用床構成枠部７を示す平面図である。図１８は、一方側部分７１と他方側部分７２とが所定の角度で屈曲した状態の屈曲用床構成枠部７を示す平面図である。
【００４１】
具体的には、屈曲用床構成枠部７の一方側部分７１には、回動中心部７３を設けるとともに、回動中心部７３の回りに周方向に沿って複数の取付穴７１１を形成する。一方側部分７１には、回動中心部７３の回りに回動可能な状態で、他方側部分７２を係合する。他方側部分７２には、回動中心部７３の回りに、取付穴７１１と位置を合わせることができる複数の対応穴７２１が形成されている。また、一方側部分７１は、他方側部分７２と係合する側の端部７１２が、回動中心部７３の回りに半円状に形成されている。
そして、一方側部分７１と他方側部分７２とを回動中心部７３の回りに回動させ、複数の取付穴７１１と複数の対応穴７２１とを合わせて、ビスによって締め付けることにより、屈曲用床構成枠部７における通行方向Ｌを任意の角度で設定することができる。
【符号の説明】
【００４２】
１  組立式スロープユニット
２  床部
２１  スロープ床面
２２  床板
３  床構成枠部
３Ａ  一方の床構成枠部
３１Ａ  一端側部
３２  掛止突起
３３  弾性変形ストッパー部
３３１  板ばね
３３２  操作部
３Ｂ  他方の床構成枠部
３１Ｂ  他端側部
３５  受板部
３５１  対面部
３５２  折曲部
３６  掛止穴
３６１  通過穴部
３６２  掛止長穴部
５Ａ，５Ｂ  蝶番部
５１  一方側蝶番部分
５２  他方側蝶番部分
５３  回動中心軸
６  スロープ板部
Ｌ  通行方向
【図１】
2013238066.tif 000003
【図２】
2013238066.tif 000004
【図３】
2013238066.tif 000005
【図４】
2013238066.tif 000006
【図５】
2013238066.tif 000007
【図６】
2013238066.tif 000008
【図７】
2013238066.tif 000009
【図８】
2013238066.tif 000010
【図９】
2013238066.tif 000011
【図１０】
2013238066.tif 000012
【図１１】
2013238066.tif 000013
【図１２】
2013238066.tif 000014
【図１３】
2013238066.tif 000015
【図１４】
2013238066.tif 000016
【図１５】
2013238066.tif 000017
【図１６】
2013238066.tif 000018
【図１７】
2013238066.tif 000019
【図１８】
2013238066.tif 000020